(57)【特許請求の範囲】
【請求項１】
支柱と、支柱に取付ける第一パネル及び第二パネルとを備え、支柱は、芯材と第一部材と第二部材とから成り、芯材は四角柱であり、第一部材と第二部材は側面と正面と傾斜面とを有して横断面三角形を成しており、第一部材の傾斜面と第二部材の傾斜面とを当接して第一部材と第二部材とで下方にのみ開口する空間部を設け、空間部内における第一部材の側と第二部材の側に芯材の横断面の略半分ずつを収納してあり、第一パネル及び第二パネルは竪桟と横桟とを備え、竪桟上部と支柱上部の正面形状が略同じであり、第一部材の側面に第一パネルの横桟が取付けてあり、第二部材の側面及び正面の何れかに第二パネルの横桟が取付けてあることを特徴とするフェンス。
【発明の詳細な説明】
【０００１】
【発明の属する技術分野】
本発明は、例えば道路と敷地の境界に設けるフェンスに関するものである。
【０００２】
【発明が解決しようとする課題】
道路と敷地の境界等に設けるフェンスにあっては、支柱の前面にパネルを取付けるか、図６の如く支柱Ｐ，Ｐ間にパネル３０を取付けるもので、支柱Ｐは基礎Ｂに立設する芯材３７と、芯材３７の左半分に取付ける第一部材３１と、芯材３７の右半分に取付ける第二部材３２とから構成しているが、芯材３７に対する第一部材３１、及び第二部材３２の取付け手段として、第一及び第二部材３１，３２の上下方向に芯材収納貫通溝３３，３４を設け、芯材３７に向けて芯材収納貫通溝３３，３４を嵌合し、第一及び第二部材３１，３２を固定した後、第一及び第二部材３１，３２間の上側に、芯材収納貫通溝３３，３４の上端を塞ぐキャップＣを取付けていたため、キャップＣを別に形成する必要があるし、キャップＣの取付けに手間を要する問題点があった。
また、パネル３０を構成する竪桟３９の上部９ａとキャップＣの上部との外観が相違すると、意匠的に連続性がなくなり、外観も悪くなる問題点があった。
そこでこの発明は、従来技術の備えるこのような問題点に鑑みてなされたものであり、その目的とするところは、施工の簡略化と外観の向上とを目指したフェンスを提供することにある。
【０００３】
【課題を達成するための手段】
上記目的を達成するために、本発明のうち請求項１記載の発明によるフェンスは、支柱と、支柱に取付ける第一パネル及び第二パネルとを備え、支柱は、芯材と第一部材と第二部材とから成り、芯材は四角柱であり、第一部材と第二部材は側面と正面と傾斜面とを有して横断面三角形を成しており、第一部材の傾斜面と第二部材の傾斜面とを当接して第一部材と第二部材とで下方にのみ開口する空間部を設け、空間部内における第一部材の側と第二部材の側に芯材の横断面の略半分ずつを収納してあり、第一パネル及び第二パネルは竪桟と横桟とを備え、竪桟上部と支柱上部の正面形状が略同じであり、第一部材の側面に第一パネルの横桟が取付けてあり、第二部材の側面及び正面の何れかに第二パネルの横桟が取付けてあることを特徴とする。
【０００４】
【発明の実施の形態】
本発明によるフェンスの第一実施形態を図１乃至図３に基づき説明すれば、支柱Ｐと、支柱Ｐ，Ｐ間に設けるパネル１０とを備え、支柱Ｐは、芯材７と第一部材１と第二部材２とから成り、芯材７は四角柱で、基礎Ｂに立設しており、第一部材１は横断面が略矩形を成し、第一正面１ｃと第一背面１ｄと第一側面１ａ，１ｂとを有し、第一側面１ａ，１ｂの一方を第二部材２に相対する第一対向側面１ｅとし、第一対向側面１ｅに四角柱７の略左半分を挿入する第一芯材収納溝１３を設けており、第二部材２は第一部材１と同様に、第二正面２ｃと第二背面２ｄと第二側面２ａ，２ｂとを有し、第二側面２ａ，２ｂの一方を第一対向側面１ｅに相対する第二対向側面２ｅとし、第二対向側面２ｅに四角柱７の略右半分を挿入する第二芯材収納溝２３を設けており、第一芯材収納溝１３と第二芯材収納溝２３とで下向きに開口する空間部３を形成し、空間部３内に芯材７を収納しており、パネル１０は横桟８に竪桟９をピッチＬで複数備え、竪桟上部９ａと支柱上部５との正面形状が略同じである。
【０００５】
本発明によるフェンスの第二実施形態を、第一実施形態と相違する部分についてのみ説明すれば、図４の如く第一部材１１が横断面三角形を成し、第一傾斜面１ｆと第一側面１ｂと第一正面１ｃとを有し、第一傾斜面１ｆを第二部材１２に相対する第一対向側面１ｅとし、第一対向側面１ｅに四角柱７の略半分を挿入する第一芯材収納溝１３を設けており、第二部材１２は第一部材１１と同様に、第二傾斜面２ｆと第二側面２ｂと第二正面２ｃとを有し、第二傾斜面２ｆを第一対向側面１ｅに相対する第二対向側面２ｅとし、第二対向側面２ｅに四角柱７の残り半分を挿入する第二芯材収納溝２３を設けており、第一芯材収納溝１３と第二芯材収納溝２３とで下向きに開口する空間部３を形成している。
第一パネル１０と第二パネル２０を図４（イ）の如く直線的に連続する場合、第一パネル１０の横桟８を第一部材１の第一側面１ｂに、第二パネル１０の横桟１８を第二部材２の第二側面２ｂに取付け、第一パネル１０と第二パネル１０を図４（ロ）の如く直角に連続する場合、第一パネル１０の横桟８を第一部材１の第一側面１ｂに、第二パネル１０の横桟１８を第二部材２の第二正面２ｃに取付ける。
【０００６】
本発明によるフェンスの第三実施形態を、第一実施形態と相違する部分についてのみ説明すれば、図５の如く支柱Ｐは竪桟取付けピッチＬに合わせてパネル１０に取付けてあり、例えば２体の支柱Ｐ，Ｐに跨ってパネル１０を設ける場合、パネル１０の左側端、及び右側端から竪桟取付けピッチＬの数ピッチ位置に支柱Ｐを配置し、１体の支柱Ｐにパネル１０を設ける場合、パネル１０の中間部の竪桟取付けピッチＬに支柱Ｐを配置する。
【０００７】
【実施例】
第一実施形態及び第二実施形態おいて、第一部材１の第一対向側面１ｅと、第二部材２の第二対向側面２ｅとは、間隔を有して相対向していてもよいが、相互に当接していると外観が向上する。
第一実施形態において、第一部材１の第一芯材収納溝１３と、第二部材２の第二芯材収納溝２３の溝深さを同じに設けると、芯材７に対する第一部材１と第二部材２の取付が左右勝手自由になるが、第一部材１と第二部材２との一方にのみ芯材収納溝１３を設けることも可能である。
支柱Ｐの上部ｐは、第一部材１に第一上部１５を、第二部材２に第二上部２５を設け、且つ左右対称に設けると左右勝手自由になるが、正面から見て竪桟上部９ａと略同一であればよく、第一部材１にのみ設けることも可能であるし、第二部材２にのみ設けることも可能であり、且つその正面形状も自由で、蒲鉾型、山型、三角錐、四角錐、ドーム状等に形成し得る。
空間部３の上面３ａと芯材上面７ａとは、間隙そ有していてもよいが、芯材上面７ａに空間部上面３ａを当接して第一部材１と第二部材２とを支持することも可能である。
【０００８】
芯材７は四角柱に限定されるものではなく、円柱であってもよく、非円柱の楕円柱や多角柱であると、芯材７に対する第一部材１、及び第二部材２の固定が安定する。また芯材７を立設する基礎Ｂは、コンクリートに限定されるものではなく、地面でもよい。
芯材７に対する第一部材１と第二部材２との固定手段は、主にボルト止めやねじ止めを用いるが、これらの固定手段に限定されるものではなく、簡単にしっかり固定し得るものであれば自由であり、更に図２の如く、芯材７の下側に、第一部材１、及び第二部材２の支持金具Ａを取付けることも可能である。
支柱幅Ｈと竪桟幅ｈとを略同幅に設けると、更に外観が向上する。
本発明のフェンスは、手摺にも応用可能である。
【０００９】
本発明のフェンスは上記の通りであるから、次に記載する効果を有する。
請求項１に記載のフェンスは、芯材に第一部材と第二部材とを取付けるだけで、空間部内に芯材を納めることができるので、キャップを別に取付ける必要がない。その結果、フェンスの施工能率が向上する。
さらに、支柱上部と竪桟上部との正面形状が略同一であるから、連続した意匠を表現し、それによって外観が向上する。
一定の形状の第一部材と第二部材を支柱に用いて、第一パネルと第二パネルとが直線的に連続する部分と直角に連続する部分の何れにも対応できる。
【図面の簡単な説明】
【図１】本発明によるフェンスの使用状態を示す要部正面図である。
【図２】（イ）（ロ）図１のＸ−Ｘ線矢視の要部断面図と、第一実施形態の要部縦断面図である。
【図３】（イ）（ロ）第一実施形態の施工例を示す要部横断面図である。
【図４】（イ）（ロ）第二実施形態における要部横断面図である。
【図５】（イ）（ロ）第三実施形態の使用状態を示す正面図と平面図である。
【図６】（イ）（ロ）従来固定部材の斜視図と、フェンスの施工例を示す正面図である。
【符号の説明】
Ｐ  支柱
１，１１，３１  第一部材
２，１２，３１  第二部材
１ｅ，２ｅ  対向側面
３  空間部、１３，２３  芯材収納溝
５，１５，２５  支柱上部
７，１７，３７  芯材（四角柱）
８，１８，３８  横桟
９，３９  竪桟、９ａ  竪桟上部
１０，２０，３０  パネル
３３，３４  芯材収納貫通溝
Ａ  支持金具
Ｂ  基礎
Ｃ  キャップ
Ｈ  支柱幅、ｈ  竪桟幅
Ｌ  竪桟及び支柱の取付ピッチ
【図１】
0003541762.tif 000002
【図２】
0003541762.tif 000003
【図３】
0003541762.tif 000004
【図４】
0003541762.tif 000005
【図５】
0003541762.tif 000006
【図６】
0003541762.tif 000007